(57)【要約】【課題】レンズ鏡筒におけるレンズ間隔調整作業の効率を高める。【解決手段】光軸方向に当接する面を有し、光学部材を保持する第１円筒部材（１）と、光軸方向に当接する面を有する第２円筒部材（２）と、光軸方向において、第１円筒部材と第２円筒部材との間に配置される板状リング部材（３、１３、２３、３３）と、第１円筒部材、第２円筒部材および板状リング部材を光軸方向に結合する結合部材（５）とを具備し、板状リング部材を円周方向に分割された複数部材で構成したことを特徴とする。【選択図】      図１
2004309918.tif 000002
【特許請求の範囲】
【請求項１】
光軸方向に当接する面を有し、光学部材を保持する第１円筒部材と、
光軸方向に当接する面を有する第２円筒部材と、
光軸方向において、前記第１円筒部材と前記第２円筒部材との間に配置される板状リング部材と、
前記第１円筒部材、前記第２円筒部材および前記板状リング部材を光軸方向に結合する結合部材とを具備し、
前記板状リング部材を円周方向に分割された複数部材で構成したことを特徴とするレンズ鏡筒。
【請求項２】
前記結合部材に対する開口逃げ部を前記板状リング部材が有し、前記板状リング部材を光軸垂直方向に取り外し可能としたことを特徴とする請求項１に記載のレンズ鏡筒。
【請求項３】
前記板状リング部材を略１８０度の角度幅を有する２部材で構成したことを特徴とする請求項１および請求項２に記載のレンズ鏡筒。
【請求項４】
前記板状リング部材を略１２０度の角度幅を有する３部材で構成したことを特徴とする請求項１および請求項２に記載のレンズ鏡筒。
【発明の詳細な説明】
【０００１】
【発明の属する技術分野】
本発明は、レンズ間隔調整機構を有するレンズ鏡筒に関するものである。
【０００２】
【従来の技術】
従来のこの種のレンズ鏡筒は、図５に示すような構成をとっていた。
【０００３】
図５において、後側固定部材１は、カメラボディとの結合部ｌａを有する。結合部ｌａの内径側（図５下側）には絞り連動レバー６が設けられ、絞り連動レバー６は後端部でカメラボディ側の絞りレバー（図示せず）に係合する。絞り連動レバー６は、回転部ブッシュ７を挟んで取り付けビス８により、回転部ブッシュ７を軸にして回転自在に後側固定部材１に軸支されている。
【０００４】
後側固定部材１の前側（図５左側）には、光学レンズ群Ｌ１〜Ｌ４を保持する前側固定部材２が設けられている。後側固定部材１は、間隔調整部材１０３を挟んで光軸方向締結部材５に結合されている。間隔調整部材１０３は、図６に示すように板状リング状を成し、外周部の６箇所にビス（締結部材５等）の逃げ部１０３ａを有する。
【０００５】
後側固定部材１の外径側（図５上側）には、光軸方向締結部材５を覆うカバー部材４が、後側固定部材１にねじ結合されている。また、前側固定部材２の内側（図５下側）には、公知の絞り機構（２ａ、９、９ａ、１０、１１、１２）が設けられている。前側固定部材２の逃げ部２ｃより突き出した絞り連結ピン１１が、絞り連動レバー６の係合部６ｂと係合することによって、カメラボディから絞り連動レバー６を介して絞り制御を行うようにしている。
【０００６】
前側固定部材２の内側壁部には、切り欠き部２ｂが形成されている。切り欠き部２ｂは、絞り連動レバー６の可動範囲であって、絞り連結ピン１１と係合部６ｂを径方向で逃げる範囲に形成されている。また、切り欠き部２ｂの更に内周部（図５下側）には電気実装部１１４が設けられている。
【０００７】
次に、レンズ間隔調整方法について記述する。
【０００８】
カバー部材４を取り外し、光軸方向締結部材５を取り外すことにより、絞り連動レバー部（６、７、８）を保持したまま後側固定部材１を図５の右方向へ取り外す。この時、絞り連動レバー６は、電気実装部１１４と干渉することなく、前側固定部材２の切り欠き部２ｂを通過することができる。その後、板状リング状の間隔調整部材１０３を所定の間隔（板厚）になるように組み込み、取り外し手順とは逆に組み立てる。以上により、レンズ間隔調整（バックフォーカス調整）を行なうようにしていた。
［特許文献１］実開昭５８−７７３１０
【０００９】
【発明が解決しようとする課題】
従来の構成では、電気実装部１１４が小スペースで、レンズ間隔調整時に絞り連動レバー６との干渉がない場合は問題ないが、電気的要素が増加して電気実装部１１４が増大している近年のレンズ鏡筒においてはスペースにも余裕がなく、絞り連動レバー６との干渉を回避できない状況が多い。
【００１０】
また、絞り機構（２ａ、９、９ａ、１０、１１、１２）がレンズ鏡筒の後端部よりかなり前側（図５左側）にある場合には、レンズ間隔調整をした後の組み込み時に、絞り連動レバー６の係合部６ｂを絞り連結ピン１１に係合させる際の、係合部６ｂの視認が困難であるという不具合も生じていた。
【００１１】
本発明は、上記の問題点に鑑みてなされたもので、レンズ鏡筒におけるレンズ間隔調整作業の効率を高めることを目的とする。
【００１２】
【課題を解決するための手段】
この目的を達成するために、請求項１の発明によるレンズ鏡筒は、光軸方向に当接する面を有し、光学部材を保持する第１円筒部材（１）と、光軸方向に当接する面を有する第２円筒部材（２）と、光軸方向において、第１円筒部材と第２円筒部材との間に配置される板状リング部材（３、１３、２３、３３）と、第１円筒部材、第２円筒部材および板状リング部材を光軸方向に結合する結合部材（５）とを具備し、板状リング部材を円周方向に分割された複数部材で構成したことを特徴とする。
【００１３】
請求項２の発明によるレンズ鏡筒は、請求項１において、結合部材に対する開口逃げ部（３ａ、１３ａ、２３ａ、３３ａ）を板状リング部材が有し、板状リング部材を光軸垂直方向に取り外し可能としたことを特徴とする。
【００１４】
請求項３の発明によるレンズ鏡筒は、請求項１および請求項２において、板状リング部材を略１８０度の角度幅を有する２部材（３、１３、２３、３３）で構成したことを特徴とする。
【００１５】
請求項４の発明によるレンズ鏡筒は、請求項１および請求項２において、板状リング部材（４３、５３、６３）を略１２０度の角度幅を有する３部材で構成したことを特徴とする。
【００１６】
【発明の実施の形態】
以下、本発明の実施の形態を図面に基づいて説明する。
【００１７】
図１は、本発明によるカメラ交換レンズ（鏡筒）の一実施形態を示す断面図である。
【００１８】
図１において、後側固定部材１は、カメラボディとの結合部ｌａを有する。結合部ｌａの内径側（図１下側）には絞り連動レバー６が設けられ、絞り連動レバー６は後端部でカメラボディ側の絞りレバー（図示せず）に係合する。絞り連動レバー６は、回転部ブッシュ７を挟んで取り付けビス８により、回転部ブッシュ７を軸にして回転自在に後側固定部材１に軸支されている。
【００１９】
後側固定部材１の前側（図１左側）には、光学レンズ群Ｌ１〜Ｌ４を保持する前側固定部材２が設けられている。後側固定部材１は、間隔調整部材３を挟んで光軸方向締結部材５に結合されている。間隔調整部材３および１３は、図２に示すように板状リング状を成し、内周部の６箇所にビス（締結部材５等）の逃げ部３ａおよび１３ａを有する。
【００２０】
後側固定部材１の外径側（図１上側）には、光軸方向締結部材５を覆うカバー部材４が、後側固定部材１にねじ結合されている。また、前側固定部材２の内側（図１下側）には、公知の絞り機構（２ａ、９、９ａ、１０、１１、１２）が設けられている。前側固定部材２の逃げ部２ｃより突き出した絞り連結ピン１１が、絞り連動レバー６の係合部６ｂと係合することによって、カメラボディから絞り連動レバー６を介して絞り制御を行うようにしている。
【００２１】
前側固定部材２の内側壁部には、切り欠き部２ｂが形成されている。切り欠き部２ｂは、絞り連動レバー６の可動範囲であって、絞り連結ピン１１と係合部６ｂを径方向で逃げる範囲に形成されている。また、切り欠き部２ｂと一部が光軸方向に重なる位置（図１右側）には電気実装部１４が設けられている。
【００２２】
次に、レンズ間隔調整方法について記述する。
【００２３】
カバー部材４を取り外し、光軸方向締結部材５を取り外すかまたは緩めることにより、絞り連動レバー６、回転部ブッシュ７、および取り付けビス８を、保持したままで、後側固定部材１を図１の右方向へ、取り外すことなく僅かに移動する。このとき、絞り連動レバー６の係合部６ｂは係合した状態を維持させる。その後、間隔調整部材３および１３を所定の間隔（板厚）になるように、前側固定部材２と後側固定部材１の隙間部に外側（図１上側）より挿入する。その後に、光軸方向締結部材５を締めつけ、カバー部材４を取り付ける。絞り連動レバー６を光軸方向後方（図１右側）に取り外そうとしても電気実装部１４と干渉してしまうが、後側固定部材１を僅かに移動するだけでレンズ間隔調整が可能なので、絞り連動レバー６と電気実装部１４とが干渉することはない。以上により、レンズ間隔調整（バックフォーカス調整）を行なうことができる。
【００２４】
図３は、間隔調整部材の他の実施形態を示す正面図である。この実施形態に於ける間隔調整部材２３および３３は、結合部材（５）に対する開口逃げ部（２３ａ、３３ａ）を有し、間隔調整部材（板状リング部材）２３および３３を光軸垂直方向に取り外し可能としたことを特徴とする。即ち、間隔調整部材２３および３３は、図３に示すように板状リング状を成し、内周部の４箇所にビス（締結部材５）の逃げ部２３ａおよび３３ａを有する。また、対向部２３ｂおよび３３ｂで締結部材５を挟む状態で間隔調整部材２３および３３の取り付けが行われる。従って間隔調整部材２３および３３は、合計６箇所において締結部材５により取り付けが行われる。
【００２５】
図４は、間隔調整部材の他の実施形態を示す正面図である。この実施形態に於ける間隔調整部材（板状リング部材）４３、５３および６３は、略１２０度の角度幅を有する３部材で構成されている。即ち、間隔調整部材４３、５３および６３は、図４に示すように板状リング部材を略１２０度の角度幅を有する３部材で構成されている。間隔調整部材４３、５３および６３は、対向部４３ｂ、５３ｂおよび６３ｂにおいて締結部材５を挟む状態で取り付けが行われる。従って間隔調整部材４３、５３および６３は、合計３箇所において締結部材５により取り付けが行われる。
【００２６】
なお、上述した実施形態ではバツクフォーカスの調整について記述したが、例えば、ズームレンズにおける望遠時と広角時の像面位置の調整等にも適用できる。また、上述した実施形態では、絞り連動レバー６と電気実装部１４との干渉を例にして説明したが、例えば絞り連動レバーと防振ユニット等の他の組み合わせによって前側固定部材と後側固定部材とが完全に取り外せない場合にも、本発明を適用することができる。
【００２７】
また、図２および図３の実施形態が、板状リング部材を光軸垂直方向に取り外し可能とし、板状リング部材を略１８０度の角度幅を有する２部材で構成した例であるが、図２の実施形態では板状リング部材をレンズ鏡筒の光軸垂直方向である上下方向に取り外し可能であり、図３の実施形態では板状リング部材をレンズ鏡筒の光軸垂直方向である左右方向に取り外し可能であるものとして描かれているが、逆であっても良いことは勿論のことである。
【００２８】
以上で説明した実施形態によれば、板状リング部材（３、１３、２３、３３）を１８０度を超えない角度のリング形状に分割したので、前側固定部材２と後側固定部材１を完全に取り外すことなく、必要最小限の隙間を空けるだけで外径側から挿入することができる。このため、絞り連動レバー６や電気実装部１４等の内部部品と干渉することなく、また、前側固定部材２と後側固定部材１を完全に取り外すことができなくても、レンズ間隔調整を行なうことができる効果がある。
【００２９】
また、絞り連動レバー６の内部での係合を外すことなくレンズ間隔調整を行なうことができるので、作業性を向上させる効果もある。また、リング部材（３、１３、２３、３３、４３、５３、６３）は同一形状の部材であるので、１種類のプレス型で製作可能であって、コストアップにもならない。更に、板状部材の内径側に結合部材の開口逃げ部を設けることによって、締結部材５５を完全に取り外すことなく緩めるだけでレンズ間隔調整を行なうことができる効果もある。
【００３０】
【発明の効果】
以上のように、本発明のレンズ鏡筒によれば、板状リング部材（３、１３、２３、３３）を円周方向に分割した複数部材で構成したので、複数に分割して取り外し（取り付け）を行うことが可能となり、第１円筒部材（１）と第２円筒部材（２）を外すことなく、光学部材間の間隔調整を行うことが可能となる。これにより、間隔調整作業の効率を飛躍的に高めることが可能となる。
【図面の簡単な説明】
【図１】本発明によるレンズ鏡筒の一実施形態を示す断面図である。
【図２】本発明によるレンズ鏡筒の一実施形態を示す正面図である。
【図３】本発明によるレンズ鏡筒の一実施形態を示す正面図である。
【図４】本発明によるレンズ鏡筒の一実施形態を示す正面図である。
【図５】従来のレンズ鏡筒の一例を示す断面図である。
【図６】従来のレンズ鏡筒の一例を示す正面図である。
【符号の説明】
１    後側固定部材
２    前側固定部材
２ｂ  切り欠き部
２ｃ  逃げ部
３    間隔調整部材
３ａ  逃げ部
４    カバー部材
５    光軸方向締結部材
６    絞り連動レバー
６ｂ  係合部
７    回転部ブッシュ
８    取り付けビス
１１    連結ピン
１４    電気実装部
２３    間隔調整部材
２３ａ  逃げ部
２３ｂ  対向部
３３    間隔調整部材
４３    間隔調整部材
５３    間隔調整部材
６３    間隔調整部材
４３ｂ  対向部
Ｌ１〜Ｌ４  光学レンズ群
【図１】
2004309918.tif 000003
【図２】
2004309918.tif 000004
【図３】
2004309918.tif 000005
【図４】
2004309918.tif 000006
【図５】
2004309918.tif 000007
【図６】
2004309918.tif 000008